(57)【特許請求の範囲】
【請求項１】
居室に設置される居室親機と、居室での人の動きを検知するパッシブセンサと、前記パッシブセンサが異常を検知したときに警報を発生する玄関子機と、居室への外来者の侵入を監視する玄関センサと窓センサを含む複数の防犯センサとを備えたインターホンシステムにおいて、
前記居室親機は、住居のセキュリティを管理するための制御を行う制御手段を備え、前記セキュリティの管理モードが、居住者の在宅中に前記パッシブセンサが所定時間内に人の動きを検知しない場合に、居住者の異常を判断して前記警報を発生する在宅保安モードと、居住者の外出中に前記パッシブセンサが人の動きを検知した場合に、前記居室の異常を判断して前記警報を発生する外出防犯モードとを含み、
前記制御手段が、前記外出防犯モードにおいて、前記防犯センサの動作状態を確認し、少なくとも一つの防犯センサの動作異常を確認したときに、正常な防犯センサを外来者の侵入監視に使用し、前記パッシブセンサを侵入者の挙動監視に使用する制御を行うことを特徴とするインターホンシステム。
【請求項２】
携帯端末と通信を行う通信手段を備え、前記制御手段が、前記防犯センサの最新の動作情報を前記携帯端末に送信し、前記携帯端末から前記外出防犯モードの設定要求を受信したときに、前記外出防犯モードを設定する制御を行うことを特徴とする請求項１記載のインターホンシステム。
【発明の詳細な説明】
【技術分野】
【０００１】
本発明は、居住者の安否確認を行うパッシブセンサを利用して、住居のセキュリティ機能を高めたインターホンシステムに関する。
【背景技術】
【０００２】
従来、居住者の在宅時に在宅防犯モードを設定し、居住者の外出時に外出防犯モードを設定するインターホンシステムが知られている。在宅防犯モードでは、複数の玄関センサと窓センサを用いて居室への外来者の侵入を監視し、パッシブセンサによって居住者の安否を確認する。各センサが異常を検知したときに、居室親機と玄関子機に警報音を発生させる。
【０００３】
外出防犯モードでは、パッシブセンサによる安否確認を停止した状態で、玄関センサと窓センサによって外来者の侵入監視を行う。複数の玄関センサおよび窓センサのうち、どれか一つのセンサが正しく動作しないとき（窓の閉め忘れも含む）、外出防犯モードの設定ミスを知らせるために、居室親機から警告音を発生し、居住者に戸締り確認を促すインターホンシステムも知られている。
【０００４】
なお、特許文献１には、パッシブセンサを用いて居住者の安否確認を行う集合住宅用インターホンシステムが記載されている。特許文献２には、携帯端末を用いて外出先から自宅のセキュリティ状態を確認するインターホンシステムが記載されている。
【先行技術文献】
【特許文献】
【０００５】
【特許文献１】特開２００１−３０９０６２号公報
【特許文献２】特開２００７−５８６６３号公報
【発明の概要】
【発明が解決しようとする課題】
【０００６】
しかし、従来のインターホンシステムによると、居住者が警告音を聞き逃して外出防犯モードの設定ミスに気付かずに外出してしまった場合、あるいは、外出防犯モードを設定し忘れて外出してしまった場合に、自宅が無防備の状態に放置される。また、携帯端末で設定ミスまたは設定忘れに気付いたとしても、すべてのセンサが正常でないと警報システムが機能しないため、結局、居住者は自宅に戻る以外にセキュリティを確立できないという問題点があった。
【０００７】
本発明は、この難点を解決するためになされたものであり、パッシブセンサを有効利用して、外出時のセキュリティ機能を高めることができるインターホンシステムを提供することにある。
【課題を解決するための手段】
【０００８】
上記課題を解決するために、本発明は、居室に設置される居室親機と、居室での人の動きを検知するパッシブセンサと、パッシブセンサが異常を検知したときに警報を発生する玄関子機とを備えたインターホンシステムにおいて、次のような手段を備えたことを特徴とする。
【０００９】
（１）居室親機は、住居のセキュリティを管理するための制御を行う制御手段を備え、セキュリティの管理モードが、居住者の在宅中にパッシブセンサが所定時間内に人の動きを検知しない場合に、居住者の異常を判断して警報を発生する在宅保安モードと、居住者の外出中にパッシブセンサが人の動きを検知した場合に、居室の異常を判断して警報を発生する外出防犯モードとを含むことを特徴とするインターホンシステム。
【００１０】
（２）居室への外来者の侵入を監視する玄関センサと窓センサを含む複数の防犯センサを備え、制御手段が、防犯センサの動作状態を確認し、少なくとも一つの防犯センサの異常により外出防犯モードが正しく設定されていないときに、正常な防犯センサを外来者の侵入監視に使用し、パッシブセンサを侵入者の挙動監視に使用する制御を行うことを特徴とするインターホンシステム。
【００１１】
（３）携帯端末と通信を行う通信手段を備え、制御手段が、防犯センサの最新の動作情報を携帯端末に送信し、携帯端末から外出防犯モードの設定要求を受信したときに、外出防犯モードを設定する制御を行うことを特徴とするインターホンシステム。
【発明の効果】
【００１２】
上記（１）のインターホンシステムによれば、パッシブセンサを居住者の安否確認と侵入者の挙動監視とに両用し、住居のセキュリティ機能を高めることができるという効果がある。
【００１３】
上記（２）のインターホンシステムによれば、パッシブセンサを防犯センサと併用し、居住者の外出時に、住居のセキュリティ性能を高めることができ、防犯センサが正しく動作しないときに、パッシブセンサによるフェイルセーフを提供できるという効果がある。
【００１４】
上記（３）のインターホンシステムによれば、通信手段を用いてセンサ情報を外出中の居住者に知らせ、外出防犯モードを設定し忘れた場合でも、その防犯モードを外出先から容易に設定できるという効果がある。
【図面の簡単な説明】
【００１５】
【図１】本発明の実施例１を示すインターホンシステムのブロック図である。
【図２】在宅保安モードおよび外出防犯モードの設定画面を示す模式図である。
【図３】本発明の実施例２を示すインターホンシステムのブロック図である。
【図４】外出防犯プログラム１を示すフローチャートである。
【図５】外出防犯プログラム２を示すフローチャートである。
【発明を実施するための形態】
【００１６】
以下、本発明の実施形態を図面に基づいて説明する。この実施形態のインターホンシステムは、居室親機と玄関子機との通話機能に加え、センサを用いたセキュリティ機能を備えている。図１、図２に示す実施例１のインターホンシステムでは、パッシブセンサが居住者の安否確認と侵入者の挙動監視とに共用される。図３〜図５に示す実施例２のインターホンシステムでは、パッシブセンサが玄関センサと窓センサを含む複数の防犯センサと併用される。
【実施例１】
【００１７】
図１に示すように、実施例１のインターホンシステム１は、居室に設置される居室親機２と、玄関に設置される玄関子機３と、居室毎に設定された警戒エリアで人の動きを検知する複数のパッシブセンサ４とから構成されている。
【００１８】
居室親機２には、玄関子機３との通話を制御するメインＣＰＵ１１と、住居のセキュリティを管理するための制御を行うセキュリティＣＰＵ１２とが設けられている。メインＣＰＵ１１には、玄関子機３と通信を行う親機インターフェース部１３と、各種警報、設定情報を表示する表示部１４と、居住者が設定、入力操作に使用する操作部１５とが接続されている。セキュリティＣＰＵ１２には、セキュリティの管理モードを切り替えるための管理モード切替部１６が設けられるとともに、音声入出力部１７を介してマイク１８とスピーカ１９が接続されている。
【００１９】
玄関子機３には、居室親機２との通話を制御する子機ＣＰＵ２１と、子機ＣＰＵ２１をメインＣＰＵ１１に接続する子機インターフェース部２２とが設けられている。子機ＣＰＵ２１には、呼出ボタン等を含む操作部２３が接続されるととともに、音声入出力部２４を介してマイク２５とスピーカ２６が接続されている。そして、パッシブセンサ４が異常を検知したときに、玄関子機３のスピーカ２６が警報音声を発生する。
【００２０】
管理モード切替部１６は、居住者が予め設定した情報に基づいて、セキュリティの管理モードを在宅保安モードと外出防犯モードとに切り替える。例えば、図２（ａ）に示すように、表示部１４の画面表示に従い、居住者が在宅を選択し、安否確認の必要な居室を選択したときに、管理モード切替部１６は在宅保安モードを設定し、選択された居室のパッシブセンサ４を居住者の安否確認に使用し、選択されていない居室ではパッシブセンサ４の動作を停止する。
【００２１】
また、図２（ｂ）に示すように、居住者が外出を選択し、監視の必要な居室を選択したときに、管理モード切替部１６は外出防犯モードを設定し、選択された居室のパッシブセンサ４を侵入者の挙動監視に使用する。なお、図２に示す表示部１４の画面表示は、操作部１５の案内表示として機能させることもでき、タッチパネルを用いて操作部として機能させることもできる。
【００２２】
居住者による設定情報は、セキュリティＣＰＵ１２のメモリに記憶される。そして、在宅保安モードにおいて、パッシブセンサ４が所定時間内に人の動きを検知しないときには、セキュリティＣＰＵ１２が居住者の異常を判断し、メインＣＰＵ１１および子機ＣＰＵ２１に警報指令を出力する。これにより、居室親機２でスピーカ１９が警報音を発生するとともに、表示部１４が警報画面を表示し、玄関子機３でスピーカ２６が警報音声を発生する。
【００２３】
また、外出防犯モードにおいて、パッシブセンサ４が人の動きを検知すると、セキュリティＣＰＵ１２が居室の異常を判断し、在宅保安モードと同様に、メインＣＰＵ１１および子機ＣＰＵ２１に警報指令を出力する。従って、実施例１のインターホンシステム１によれば、パッシブセンサ４を居住者の安否確認と侵入者の挙動監視とに両用し、住居のセキュリティ機能を高めることができる。
【実施例２】
【００２４】
図３に示すように、実施例２のインターホンシステム３１は、居室親機２、玄関子機３およびパッシブセンサ４に加え、複数の防犯センサつまり玄関からの外来者の侵入を検知する玄関センサ５と、窓からの外来者の侵入を検知する窓センサ６と、マンションコントローラ７と、マンションコントローラ７に居室親機２を接続する制御装置８とから構成されている。マンションコントローラ７はインターフェース部３２、ＣＰＵ３３、通信部３４を備え、通信部３４が通信網３５、移動通信基地局３６を介して携帯電話等の予め登録された携帯端末３７に接続されるとともに、制御装置８のインターフェース部３８に接続されている。
【００２５】
実施例１と同様、居住者は、居室親機２の表示部１４の表示（図２参照）に基づいて在宅保安モードまた外出防犯モードを設定できる。図４は、外出防犯モードが設定されたときに、セキュリティＣＰＵ１２が実行する外出防犯プログラム１を示す。居住者が外出防犯モードを設定すると（Ｓ４１）、外出準備時間を考慮して予め定められた外出待ち時間が経過した後に（Ｓ４２）、すべての玄関センサ５および窓センサ６が正常に動作しているかどうかを確認する（Ｓ４３）。
【００２６】
そして、すべての玄関センサ５および窓センサ６が正常に動作している場合は、住居の防犯状態を戸締り状態とし、玄関センサ５および窓センサ６によって外来者の侵入を監視する（Ｓ４４）。一方、玄関センサ５と窓センサ６のどれか一つでも動作していない場合は、住居の防犯状態を準戸締り状態とし、残りの正常な玄関センサ５と窓センサ６に、予め選択されたパッシブセンサ４を組み合わせ、玄関センサ５および窓センサ６により外来者の侵入を監視するとともに、パッシブセンサ４によって侵入者の挙動を監視する（Ｓ４５）。
【００２７】
その後、予め設定した所定の時間が経過した時点で（Ｓ４６）、セキュリティＣＰＵ１２はメインＣＰＵ１１、親機インターフェース部１３、制御装置８、マンションコントローラ７を介して携帯端末３７にセンサ情報を送信する（Ｓ４７）。従って、この外出防犯プログラム１によれば、複数の玄関センサ５と窓センサ６のうち一つでも動作しないセンサがあった場合に、パッシブセンサ４を正常な玄関センサ５および窓センサ６に自動的に組み合わせ、フェイルセーフ機能を発揮して、外出時のセキュリティ性能を高めることができる。
【００２８】
図５は、居住者が外出防犯モードを設定し忘れて外出してしまったときに、高度のフェイルセーフ機能を発揮する外出防犯プログラム２を示す。ここでは、セキュリティＣＰＵ１２が、予め指定された時刻になると（Ｓ５１）、居室親機２に外出防犯モードが設定されているか否かを定期的に確認する（Ｓ５２）。外出防犯モードが設定されていない場合は、玄関センサ５および窓センサ６を含む防犯センサの最新の動作情報を居室親機２から制御装置８、マンションコントローラ７、通信網３８、移動通信基地局３９を介して居住者の携帯端末３７へ送信する（Ｓ５３）。
【００２９】
外出先の居住者は、受信したセンサ情報から防犯設定の要否を判断し（Ｓ５４）、必要な場合に携帯端末３７を操作し、外出防犯モードの設定要求を居室親機２に送信する（Ｓ５５）。居室親機２が外出防犯モードの設定要求を受信すると、セキュリティＣＰＵ１２は、外出防犯プログラム１と同様に、玄関センサ５および窓センサ６の動作状態に応じ、住居の防犯状態を戸締りまたは準戸締り状態とする（図４Ａ参照）。従って、窓を開け放したまま外出したり、防犯モードを設定し忘れたりした場合でも、居住者は、自宅に戻ることなく、外出先から外出防犯モードを容易に設定することができる。
【００３０】
なお、本発明は上記実施例に限定されるものではなく、以下に例示するように、発明の趣旨を逸脱しない範囲で、各部の構成や手順を適宜に変更して実施することも可能である。
（１）図４に示す外出防犯プログラム１において、他の人が留守番している時の誤動作を防ぐために、準戸締り動作（Ｓ４５）をセンサ情報の送信（Ｓ４７）後に携帯端末３７の操作により行うようにしても良い。
（２）図５に示す外出防犯プログラム２において、外出防犯モードの設定要求に応答し、セキュリティＣＰＵ１２が玄関センサ５および窓センサ６にパッシブセンサ４を組み合わせ、防犯状態を準戸締り状態とすることもできる。
（３）実施例２のインターホンシステム３１は、マンションに限定されず、戸建住居に適用することもできる。
【符号の説明】
【００３１】
１    インターホンシステム（実施例１）
２    居室親機
３    玄関子機
４    パッシブセンサ
５    玄関センサ
６    窓センサ
７    マンションコントローラ
８    制御装置
１２    セキュリティＣＰＵ
１６    管理モード切替部
３１    インターホンシステム（実施例２）
３７    携帯端末
【図１】
0005560219.tif 000002
【図２】
0005560219.tif 000003
【図３】
0005560219.tif 000004
【図４】
0005560219.tif 000005
【図５】
0005560219.tif 000006